(57)【要約】【課題】  高輝度放電灯の放電特性に適した効率のよい電力供給が可能な放電灯点灯装置を得る。【解決手段】  ＨＩＤランプ１１１に電力を供給する直流電源１０１と、直流電源１０１の電圧をＨＩＤランプ１１１に伝達するトランス１０５と、直流電源１０１とトランス１０５の一次巻線の間に接続されたスイッチ１０２と、トランス１０５の一次側に接続されたスイッチ１０３，１０４と、トランス１０５の二次側巻線に直列に接続されたインダクタ１０６と、トランス１０５の二次側に接続され、インダクタ１０８とコンデンサ１１０を含む直列共振回路と、トランス１０５の二次側に接続され、インダクタ１０７とコンデンサ１０９を含む並列共振回路を備え、スイッチ１０２，１０３，１０４の開閉動作により、直流電源１０１からトランス１０５への電力投入を間欠的にしながらトランス１０５に常に電流を供給する。【選択図】        図１
2005302378.tif 000002
【特許請求の範囲】
【請求項１】
放電灯に電力を供給する直流電源と、
上記直流電源の電圧を上記放電灯に伝達するトランスと、
上記直流電源と上記トランスの一次巻線の間に接続された電力投入用スイッチング素子と、
上記トランスの一次側に接続された第１および第２のスイッチング素子を備え、
上記電力投入用スイッチング素子、第１のスイッチング素子、および第２のスイッチング素子の開閉動作により、上記直流電源から上記トランスへの電力投入を間欠的にし、上記直流電源から上記トランスへの電力投入がないときでも、トランス一次側で電流を環流させることを特徴とする放電灯点灯装置。
【請求項２】
電源投入用スイッチング素子をオンにした際、第１のスイッチング素子あるいは第２のスイッチング素子のどちらか一方をオンにして直流電源から電力を供給し、
上記電源投入用スイッチング素子をオフにした際、上記第１のスイッチング素子と上記第２のスイッチング素子を同時にオンにしてトランスの一次側で電流が流れるようにすると共に、上記トランスの二次側の全回路で電流が流れるようにすることを特徴とする請求項１記載の放電灯点灯装置。
【請求項３】
電源投入用スイッチング素子のオンオフのタイミングは、トランスの二次側巻線に流れる電流の周期に基づいて決められることを特徴とする請求項１または請求項２記載の放電灯点灯装置。
【請求項４】
電源投入用スイッチング素子のオンオフのタイミングは、トランスの二次側の負荷電流あるいは負荷電力に基づいて決められることを特徴とする請求項１または請求項２記載の放電灯点灯装置。
【請求項５】
電源投入用スイッチング素子のオンオフのタイミングは、第１のスイッチング素子および第２のスイッチング素子に流れる電流の周期に基づいて決められることを特徴とする請求項１または請求項２記載の放電灯点灯装置。
【請求項６】
放電灯のコールドスタート時には、放電成長期間の後、電源投入用スイッチング素子をオンにした際、第１のスイッチング素子あるいは第２のスイッチング素子のどちらか一方をオンにして直流電源から電力を供給し、
上記電源投入用スイッチング素子をオフにした際、上記第１のスイッチング素子と上記第２のスイッチング素子を同時にオンにしてトランスの一次側で電流が流れるようにすると共に上記トランスの二次側の全回路で電流が流れるようにした後、定常状態に移行することを特徴とする請求項２記載の放電灯点灯装置。
【請求項７】
トランスの二次側巻線に直列に接続された第１のインダクタンス素子と、
上記トランスの二次側に接続され、第２のインダクタンス素子と第１のコンデンサを含む直列共振回路と、
上記トランスの二次側に接続され、第３のインダクタンス素子と第２のコンデンサを含む並列共振回路を備え、
上記第１から第３のインダクタンス素子のうちのいずれか２つを同一のコアを用いて形成することを特徴とする請求項１から請求項６のうちのいずれか１項記載の放電灯点灯装置。
【請求項８】
第１のインダクタンス素子をトランス二次巻線のリーケージインダクタンスを用いて形成することを特徴とする請求項７記載の放電灯点灯装置。
【請求項９】
第１のコンデンサの容量値が第２のコンデンサの容量値以上であることを特徴とする請求項１から請求項８のうちのいずれか１項記載の放電灯点灯装置。
【請求項１０】
トランスはプッシュプルトランスであることを特徴とする請求項１から請求項９のうちのいずれか１項記載の放電灯点灯装置。
【発明の詳細な説明】
【技術分野】
【０００１】
この発明は、放電灯点灯装置に関するものである。
【背景技術】
【０００２】
近年、自動車のヘッドライトとして、高輝度放電灯（以下、ＨＩＤ（Ｈｉｇｈ  Ｉｎｔｅｎｓｉｔｙ  Ｄｉｓｃｈａｒｇｅ）ランプと記す。）が普及している。ＨＩＤランプは、従来用いられていたハロゲンランプに較べ、明るさは２倍の３２００ｌｍ、使用電力は半分の３５Ｗであり、寿命も２０００時間と数倍の長さである。
従来のＨＩＤランプを用いた車載用ヘッドライトの点灯回路としては例えば特許文献１に記載された放電灯点灯装置がある。この放電灯点灯装置は、自動車のバッテリーから供給される直流電圧をＤＣ−ＤＣ昇圧回路で昇圧し、ＤＣ−ＡＣインバータ回路で４００Ｈｚ程度の低周波の交流に変換し、ＨＩＤランプへ供給している。このように、特許文献１に開示された放電灯点灯装置では、ＨＩＤランプへの電力供給が二段構成になっている。
ＨＩＤランプは、始動時に２０ｋＶ程度の高電圧パルスを印加して点灯される。この２０ｋＶ程度の高電圧パルスを発生させるために、従来のＨＩＤランプの点灯装置には、イグナイタトランスとギャップスイッチを備えたイグニッション部が必要となる。しかし、このイグナイタトランスは容積が大きくコストも高いため、ＨＩＤランプの点灯装置の小型化と低コスト化を妨げる要因となっている。
また、高周波駆動でＨＩＤランプを点灯させる場合、放電成長時や定常点灯時などにイグナイタトランスのインダクタンス成分（１ｍＨ程度）により電力の損失が多く発生し、効率低下の要因となっている。
【０００３】
【特許文献１】特開２００２−３５２９８９号公報
【発明の開示】
【発明が解決しようとする課題】
【０００４】
自動車のヘッドライト用点灯装置は、さらなる小型化と低コスト化が要求されている。これを実現する方法としてＨＩＤランプの点灯装置からイグナイタトランスを無くすことが考えられる。イグナイタトランスを無くせば小型化と低コスト化を実現することができる。また、この場合イグナイタトランスのインダクタンス成分による電力損失も無くすことができる。
ただし、イグナイタトランスを無くしても、以下に示すようなＨＩＤランプの放電特性に適合した回路構成を実現する必要がある。
ＨＩＤランプは、その動作状態によりＨＩＤランプの負荷抵抗が異なり、点灯装置に要求される電力もそれに合わせて異なる。
また、ＨＩＤランプの消灯後、長時間が経過してＨＩＤランプが冷えた状態から点灯始動するコールドスタートでは、ＨＩＤランプの抵抗値は数十Ω程度と低いのに対し、ランプ消灯後あまり時間が経過しておらず、ランプがまだ熱い状態で再始動するホットスタートではＨＩＤランプの抵抗値は高い。このため、ホットスタートとコールドスタートでは、点灯始動後の光束立ち上げに必要な電力供給条件が異なる。
また、定常点灯時における３５Ｗの電力供給を効率よく行う必要もある。
【０００５】
この発明は上記のような課題を解決するためになされたもので、イグナイタトランスを用いずに、高輝度放電灯の放電特性に適した効率のよい電力供給が可能な放電灯点灯装置を得ることを目的とする。
【課題を解決するための手段】
【０００６】
この発明に係る放電灯点灯装置は、放電灯に電力を供給する直流電源と、直流電源の電圧を放電灯に伝達するトランスと、直流電源とトランスの一次巻線の間に接続された電力投入用スイッチング素子と、トランスの一次側に接続された第１および第２のスイッチング素子を備え、電力投入用スイッチング素子、第１のスイッチング素子、および第２のスイッチング素子の開閉動作により、直流電源からトランスへの電力投入を間欠的にし、直流電源からトランスへの電力投入がないときでも、トランス一次側で電流を環流させるものである。
【発明の効果】
【０００７】
この発明によれば、直流電源からの電力投入がないときでも、トランスの一次側で電流を環流させることにより、スイッチングの回数が少なくして損失を減らすことができると共に、放電灯への電力供給の効率をよくすることができる。
【発明を実施するための最良の形態】
【０００８】
以下、この発明の実施の様々な形態を説明する。
実施の形態１．
図１は、この発明の実施の形態１による、高輝度放電灯点灯装置１００の構成を示す回路図である。
図に示すように、高輝度放電灯点灯装置１００は、直流電源１０１、スイッチ（電力投入用スイッチング素子）１０２、スイッチ（第１のスイッチング素子）１０３、スイッチ（第２のスイッチング素子）１０４、トランス１０５、インダクタ（第１のインダクタンス素子）１０６、インダクタ（第３のインダクタンス素子）１０７、インダクタ（第２のインダクタンス素子）１０８、コンデンサ（第１のコンデンサ）１０９、コンデンサ（第２のコンデンサ）１１０、ＨＩＤランプ（放電灯）１１１を備えている。
また、直流電源１０１の電圧をＶ、インダクタ１０６のインダクタンスをＬ１、インダクタ１０７のインダクタンスをＬｐ、インダクタ１０８のインダクタンスをＬｓ、コンデンサ１０９の容量をＣｐ、コンデンサ１１０の容量をＣｓとする。
【０００９】
スイッチ１０２は、直流電源１０１とトランス１０５の一次側巻線の間に設置され、トランス１０５への電力投入スイッチとなる。トランス１０５の一次側には、さらにスイッチ１０３とスイッチ１０４が設けられている。
トランス１０５の二次側巻線には、インダクタ１０６が直列に接続され、インダクタ１０７が並列に接続されている。トランス１０５の二次側巻線とＨＩＤランプ１１１の間には、インダクタ１０８、コンデンサ１０９、コンデンサ１１０が接続されている。
なお、実施の形態１では、直流電圧を印加することによりＨＩＤランプ１１１を始動するが、ＨＩＤランプ１１１の直流電圧印加部は図示していない。
【００１０】
スイッチ１０２，１０３，１０４には、ＭＯＳＦＥＴ、パワートランジスタ、ＩＧＢＴなどの電力用半導体パワーデバイスを用いることができる。あるいは、ＳｉＣ、ＧａＮなどのワイドギャップ半導体で作成された電力用半導体パワーデバイスを用いてもよい。
トランス１０５はプッシュプルトランスであり、一次側巻線のセンターと直流電源１０１とはスイッチ１０２を介して接続されている。トランス１０５の一次側と二次側の巻線比は、ＨＩＤランプ１１１のインピーダンスが高くなったときでも所定の電力を供給できる値とする。具体的には、例えば、直流電源１０１の電圧が低下した場合にトランス１０５の二次側巻線で必要な電圧を得ることができる巻線比である。なお、ここでは巻線比は約１：１：１７である。ただし、巻線比の値はこれに限られない。
トランス１０５の二次側においては、ＨＩＤランプ１１１の負荷に適合した電力が効率よく供給されるように、インダクタ１０８とコンデンサ１１０とで直列共振回路を構成し、インダクタ１０７とコンデンサ１０９とで並列共振回路を構成している。
【００１１】
次に、動作について説明する。
ＨＩＤランプ１１１には、Ａ．放電待機、Ｂ．放電始動、Ｃ．過渡放電、Ｄ．定常放電の４つの動作状態がある。それぞれの動作状態におけるＨＩＤランプ１１１の負荷抵抗値は異なっているため、動作状態に合わせて電力を効率よく供給する必要がある。以下、Ｂ．放電始動、Ｃ．過渡放電、およびＤ．定常放電について概略を説明する。
【００１２】
Ｂ．放電始動
ＨＩＤランプ１１１に１０ｋＶ程度の直流電圧を印加すると、ＨＩＤランプ１１１は絶縁破壊して放電を開始する。ここでは、この直流電圧での放電始動を行う。従来の放電点灯装置では、２０ｋＶ程度のインパルス電圧で点灯始動していたため、このインパルス電圧を発生するためのイグナイタトランスが必要であった。
【００１３】
Ｃ．過渡放電
過渡放電とは、放電始動からＨＩＤランプ１１１内部のハロゲン化金属が安定して放電する定常放電までの期間である。過渡放電の間、放電を持続し、素早く光束を立ち上げるために十分な電力を供給しなければならない。特に車載用のヘッドライトに適用する場合には、点灯始動後数秒以内に光束を立ち上げなくてはならない。
ＨＩＤランプ１１１消灯後からの経過時間の長さによって、放電始動直後のＨＩＤランプ１１１の抵抗値は異なっており、必要な供給電力が異なる。消灯後、短時間経過で点灯始動する場合をホットスタートといい、点灯始動直後のＨＩＤランプ１１１の抵抗値は数百Ωである。一方、消灯後長時間経過してから点灯始動する場合をコールドスタートといい、点灯始動直後のＨＩＤランプ１１１の抵抗値は数十Ωと低い値である。
【００１４】
Ｄ．定常放電
定常放電はＨＩＤランプ１１１内部で安定した放電が行われる状態であり、この期間には、一定の電力を効率よく供給する必要がある。実施の形態１では、定常放電期間の供給電力は３５Ｗである。
定常放電状態では、高輝度放電灯点灯装置１００は駆動周波数を数十ｋＨｚとした高周波点灯動作を行っている。ＨＩＤランプ１１１を高周波点灯すると、音響共鳴現象によりＨＩＤランプ１１１内のアークが不安定となり、ちらつきや立ち消えなどが発生する。これを防ぐため、高周波電力供給の駆動周波数を変動させている。これにより、数十ｋＨｚの駆動周波数においても安定してＨＩＤランプ１１１を点灯させることができる。
【００１５】
次に、実施の形態１による、高輝度放電灯点灯装置１００のコールドスタート時の過渡放電期間における電力供給について説明する。
電力を効率よく負荷に供給するためには、トランス１０５の一次側において、スイッチング損失とスイッチの導通損失を低減する必要がある。
具体的には、まずスイッチ１０２をオンにする。このとき、スイッチ１０３、あるいはスイッチ１０４のどちらかをオンにして直流電源１０１からの電力を供給する。一定時間スイッチ１０２をオンにした後に、スイッチ１０２をオフにする。その後、スイッチ１０３とスイッチ１０４を同時にオンにして、トランス１０５の一次側巻線、スイッチ１０３、スイッチ１０４を通してトランス１０５の一次側回路に電流を流し続ける。このとき、トランス１０５の二次側では、インダクタ１０６，１０７，１０８、コンデンサ１０９，１１０、およびＨＩＤランプ１１１を含む全ての回路部分に電流が流れる。
【００１６】
図２は、トランス１０５の一次側回路の各スイッチに印加するゲート信号と各スイッチに流れる電流の時間波形の関係を示す図である。
また、図３は、各スイッチに印加するゲート信号を変化させた時の電流経路を示す図である。
図２に示すように、はじめにスイッチ１０２とスイッチ１０３のゲート信号をオンにすると、電流はスイッチ１０２とスイッチ１０３を流れ、スイッチ１０４には流れない（図３のａ．）。その後、スイッチ１０２のゲート信号をオフにし、スイッチ１０３とスイッチ１０４をオンにすると、電流はスイッチ１０３とスイッチ１０４を流れ、スイッチ１０２には流れない（図３のｂ．）。１周期後、今度はスイッチ１０２とスイッチ１０４のゲート信号をオンにし、スイッチ１０３はオフにする。このとき、スイッチ１０２とスイッチ１０４に電流が流れ、スイッチ１０３には電流は流れない。その後、スイッチ１０２のゲート信号をオフにし、スイッチ１０３とスイッチ１０４をオンにすると、電流はスイッチ１０３とスイッチ１０４に流れ、スイッチ１０２には流れない。
【００１７】
以上の動作を繰り返すことにより、直流電源１０１からの電力供給を間欠的にしながら、トランス１０５の二次側回路に電力を供給し続けることができる。
この方法によると、コールドスタートの点灯始動時における低負荷時において、効率のよい電力供給を実現することができる。
すなわち、スイッチ１０２のゲート信号がオフになっているときは、電源からの電力は供給されないので、効率のよい電力供給を実現することができる。
また、スイッチ１０２のゲート信号がオフのとき、トランス１０５の一次側に流れる電流が小さくなり、導通損失が少なくなる。また、スイッチ１０３およびスイッチ１０４で電流が環流する期間があるので、スイッチ１０２、スイッチ１０３、およびスイッチ１０４のスイッチング回数が減り、スイッチング損失が少なくなる。
具体的には、実施の形態１では、コールドスタート時の過渡放電期間に、ＨＩＤランプ１１１に７０Ｗ程度の電力を供給して放電を持続し、光束を迅速に立ち上げる。
【００１８】
図４は、各素子に流れる電流の時間波形を示す図である。図に示すように、スイッチ１０２のゲート信号がオフの期間でも各素子に電流が流れている。
スイッチ１０２のゲート信号がオンの時とオフの時とでは、トランス１０５の一次側巻線と二次側巻線の実質的な巻線比が変化し、スイッチ１０２のゲート信号がオフのときには、二次側の電流に対して一次側の実効電流が小さくなるので、スイッチ１０３とスイッチ１０４に流れる電流は小さくなり、一次側での電力損失を低減することができる。
また、図５は、各スイッチに流れる電流の波形を示す図である。図４および図５に示すように、スイッチ１０２のゲート信号がオンのときとオフのときとで、スイッチ１０３あるいはスイッチ１０４に流れる電流のピーク値が変化している。なお、一次側の電力損失としては、例えばスイッチング素子の導通損失などがある。
【００１９】
図６は、ＨＩＤランプ１１１の始動から定常点灯までの動作手順のフローチャートである。直流電圧を印加してＨＩＤランプ１１１を点灯始動させたのち、数百マイクロ秒の間は放電成長期間であり、電力を多く供給する必要がある。その期間に、ＨＩＤランプ１１１の状態がコールドスタートに相当するか否かを判断する。具体的には、ＨＩＤランプ１１１のインピーダンスが低いと判断すると、上述した低負荷時電力供給動作に移行し、その後、定常状態に移行する。
これにより、コールドスタート時の電力供給の効率をよくすることができる。
【００２０】
また、実施の形態１では、定常放電時の電力供給の効率をあげるため、トランス１０５の二次側にコンデンサとインダクタによる共振回路を設け、変動する駆動周波数の中心周波数近辺に共振周波数を持つように素子の値を設定している。ここでは、それぞれの素子の値をＣｓ＝３ｎＦ、Ｃｐ＝３ｎＦ、Ｌｓ＝０．３ｍＨ、Ｌｐ＝０．２５ｍＨとしている。
ただし、共振周波数がＨＩＤランプ１１１に供給する電力の駆動周波数に対応できる値であれば他の値であってもよい。
さらに、トランス１０５の二次巻線に直列にインダクタ１０６を接続している。これにより、コールドスタート時の電力供給効率化を実現している。ここでは、Ｌ１＝０．１ｍＨとしている。
【００２１】
以上のように、実施の形態１によれば、消灯後、長時間経過した高輝度放電灯点灯装置１００において、ＨＩＤランプ１１１の点灯始動後の過度放電期間に効率よくＨＩＤランプ１１１に電力を供給することができる。また、直流電圧を印加して始動するため、従来ＨＩＤランプ１１１を始動するために必要だった短パルスを発生するイグナイタトランスが無いため、高輝度放電灯点灯装置１００を小型化することができる。
【００２２】
実施の形態２．
実施の形態２では、スイッチ１０２のオン、オフタイミングを、トランス１０５の二次巻線に流れる電流の周期に基づいて決定することにより、所望の電力をＨＩＤランプ１１１に供給する。
【００２３】
図７は、実施の形態２による、直流電源１０１からの電流の供給制御を説明する図である。
ここでは、トランス１０５の二次巻線に流れる電流の周期に対してスイッチ１０２のオン時間は振動周期のＮ／２（Ｎは自然数。）倍としている。例えば、例１では、スイッチ１０２のオン時間は振動周期の１／２倍、オフ時間は振動周期の２／２倍となっている。例２では、スイッチ１０２のオン時間は振動周期の２／２倍、オフ時間は振動周期の４／２倍となっている。例３では、スイッチ１０２のオン時間は振動周期の３／２倍、２／２倍、１／２倍の異なる時間で動作している。オフ時間は振動周期の３／２倍および１／２倍となっている。スイッチ１０２のオン、オフの制御は、例１や例２のように同じタイミングで周期的に行ってもよい。あるいは例３のように異なるオン時間とオフ時間でオン、オフ動作を行ってもよい。
スイッチ１０２がオフの時に、トランス１０５の二次側巻線に流れる電流が零とならないようにすることができる。また、スイッチ１０２のオフ時間をトランス１０５の二次巻線に流れる電流の振動周期のＮ／２倍にすることにより、スイッチ１０３およびスイッチ１０４がオフする時の電流が零となり、スイッチング損失が減って電力供給の効率をよくすることができる。
また、スイッチ１０２のオン時間をトランス１０５の二次巻線に流れる電流の振動周期のＮ／２倍に対して、デューティ比で長さを調整して、ＨＩＤランプ１１１に所望の電力を供給するようにしてもよい。
【００２４】
以上のように、実施の形態２によれば、スイッチ１０２のオン時間をトランス１０５の二次巻線に流れる電流の振動周期に基づいて調整するようにしたので、消灯後長時間経過したＨＩＤランプ１１１を点灯する場合に、点灯始動後の過度放電期間に効率よくＨＩＤランプ１１１に電力を供給することができる。
【００２５】
実施の形態３．
実施の形態３では、スイッチ１０２のオン、オフタイミングを、スイッチ１０３とスイッチ１０４に流れる電流の振動周期に基づいて決定することにより、所望の電力をＨＩＤランプ１１１に供給する。
【００２６】
このとき、スイッチ１０２のオフ時間はスイッチ１０３とスイッチ１０４の振動周期のＮ倍とする。
例えば、図２では、スイッチ１０２のオン時間はスイッチ１０３およびスイッチ１０４の電流の振動周期の１／２倍としている。また、スイッチ１０２のオフ時間はスイッチ１０３およびスイッチ１０４の電流の振動周期の１倍としている。
また、図８に示す例では、スイッチ１０２のオン時間はスイッチ１０３およびスイッチ１０４の電流の振動周期の１／２倍、スイッチ１０２のオフ時間はスイッチ１０３およびスイッチ１０４の電流の振動周期の２倍としている。図９に示す例では、スイッチ１０２のオン時間はスイッチ１０３およびスイッチ１０４の電流の振動周期の２／２倍、スイッチ１０２のオフ時間はスイッチ１０３およびスイッチ１０４の電流の振動周期の２倍としている。
【００２７】
また、トランス１０５二次側の負荷電流あるいは負荷電力に応じて、スイッチ１０２のオフ期間を変化させることで、電力供給をさらに効率よく行うことができる。このとき、スイッチ１０２のオンのデューティ比を変化させてもよい。ここで、スイッチ１０２のオン、オフの制御は、図２、図８および図９に示すように同じタイミングで周期的に行ってもよいし、あるいはオン時間とオフ時間を変化させてもよい。
また、スイッチ１０２のオン時間をスイッチ１０３およびスイッチ１０４に流れる電流の振動周期のＮ／２倍に対して、デューティ比で長さを調整して、ＨＩＤランプ１１１に所望の電力を供給するようにしてもよい。
【００２８】
以上のように、実施の形態３によれば、スイッチ１０２のオン時間をスイッチ１０３とスイッチ１０４に流れる電流の振動周期に基づいて調整するようにしたので、消灯後長時間経過したＨＩＤランプ１１１を点灯する場合に、点灯始動後の過度放電期間に効率よくＨＩＤランプ１１１に電力を供給することができる。
【００２９】
実施の形態４．
実施の形態４では、トランス１０５の二次側に構成する各々のインダクタの構成をより好ましい構成とする。
図１０および図１１は、実施の形態４による、高輝度放電灯点灯装置１００のインダクタの構成を示す図である。図１０では、トランス１０５の二次側のインダクタ１０６、インダクタ１０７、インダクタ１０８のうちのいずれか２つを同一のコアを用いて形成している。これにより、高輝度放電灯点灯装置１００の容積を低減することができる。
また、図１１では、トランス１０５の二次巻線に直列に接続されたインダクタ１０６をトランス１０５の二次側巻線のリーケージインダクタンスを利用して形成している。これにより、高輝度放電灯点灯装置１００の容積を低減することができる。
【００３０】
以上のように、実施の形態４によれば、トランス１０５の二次側のインダクタの容積を低減することにより、高輝度放電灯点灯装置１００を小型化することができる。
【００３１】
実施の形態５．
実施の形態５では、コンデンサ１０９の容量値Ｃｐとコンデンサ１１０の容量値Ｃｓをより好ましい値にする。
図１２に、Ｃｐ、Ｃｓの値と、ＨＩＤランプ１１１とコンデンサ１０９に流れる電流の関係を示す。図に示すように、ＣｐとＣｓの値が等しい場合、ＨＩＤランプ１１１とコンデンサ１０９に流れる電流は等しくなる。また、ＣｓがＣｐより大きい場合、ＨＩＤランプ１１１に流れる電流がコンデンサ１０９に流れる電流より大きくなる。すなわち、ＣｓをＣｐより大きな値とすることで、ＨＩＤランプ１１１により多くの電流が流れ、ＨＩＤランプ１１１により多くの電力を供給することができる。
【００３２】
以上のように、実施の形態５によれば、コンデンサ１１０の容量値Ｃｓをコンデンサ１０９の容量値Ｃｐより大きな値とすることで、ＨＩＤランプ１１１への電力供給の効率をよくすることができる。
【図面の簡単な説明】
【００３３】
【図１】この発明の実施の形態１による、高輝度放電灯点灯装置の構成を示す回路図である。
【図２】この発明の実施の形態１による、各スイッチに印加するゲート信号と各スイッチに流れる電流の時間波形の関係を示す図である。
【図３】この発明の実施の形態１による、各スイッチに印加するゲート信号を変化させた時の電流経路を示す図である。
【図４】この発明の実施の形態１による、各素子に流れる電流の時間波形を示す図である。
【図５】この発明の実施の形態１による、各スイッチに流れる電流の波形を示す図である。
【図６】この発明の実施の形態１による、ＨＩＤランプの始動から定常点灯までの動作手順のフローチャートである。
【図７】この発明の実施の形態２による、直流電源からの電流の供給制御を説明する図である。
【図８】この発明の実施の形態３による、直流電源からの電流の供給制御を説明する図である。
【図９】この発明の実施の形態３による、直流電源からの電流の供給制御を説明する図である。
【図１０】この発明の実施の形態４による、高輝度放電灯点灯装置のインダクタの構成を示す図である。
【図１１】この発明の実施の形態４による、高輝度放電灯点灯装置のインダクタの構成を示す図である。
【図１２】この発明の実施の形態５による、コンデンサに流れる電流の大小関係と、ＨＩＤランプに流れる電流の関係を示す図である。
【符号の説明】
【００３４】
１００  高輝度放電灯点灯装置、１０１  直流電源、１０２  スイッチ（電力投入用スイッチング素子）、１０３  スイッチ（第１のスイッチング素子）、１０４  スイッチ（第２のスイッチング素子）、１０５  トランス、１０６  インダクタ（第１のインダクタンス素子）、１０７  インダクタ（第３のインダクタンス素子）、１０８  インダクタ（第２のインダクタンス素子）、１０９  コンデンサ（第１のコンデンサ）、１１０  コンデンサ（第２のコンデンサ）、１１１  ＨＩＤランプ（放電灯）。
【図１】
2005302378.tif 000003
【図２】
2005302378.tif 000004
【図３】
2005302378.tif 000005
【図４】
2005302378.tif 000006
【図５】
2005302378.tif 000007
【図６】
2005302378.tif 000008
【図７】
2005302378.tif 000009
【図８】
2005302378.tif 000010
【図９】
2005302378.tif 000011
【図１０】
2005302378.tif 000012
【図１１】
2005302378.tif 000013
【図１２】
2005302378.tif 000014